(57)【特許請求の範囲】
【請求項１】
走行機体であるトラクタに装着するための前方部に設けた装着部と、トラクタからの動力により回転する水平方向の回転軸に複数の刈刃を有した刈取りロータと、該刈取りロータの上方を覆う刈取り部カバーと、前記刈取りロータの左右端部を支える側板と、前記刈取りロータ後方に設けられ、水平方向の回転軸を有して前記左右側板に保持され前記刈取りロータとほぼ同じ長さの幅で刈取り地表面に接地して刈取り作業部の高さを安定させる円筒状ローラ式ゲージローラとを有する草刈り作業機において、
前記ゲージローラには、ゲージローラ外周に付着した異物を除去するスクレーパが設けられていて、該スクレーパはゲージローラ外周に端面を沿わせるとともにゲージローラの長さ方向に平行な板状で、ゲージローラ側の端面は凸凹状の切欠きが連続して設けられていて、凸凹状の頂部によりゲージローラ外周に付着した異物を掻き落し、凸凹状となったローラ外周の異物を地面との接触時の抵抗で剥して肥大させない構造であることを特徴とした草刈り作業機。
【発明の詳細な説明】
【技術分野】
【０００１】
本発明は、トラクタに装着されて草刈り作業を行う農業用機械に関する。
【背景技術】
【０００２】
この種の刈取り装置の従来技術として実開平５−９５２４２号公報（従来技術１）が開示されている。
【０００３】
実開平５−９５２４２号公報（従来技術１）には、「内部に複数の草刈刃を回転自在に収納軸架した回転式草刈機の前部側に飛散防止板を擺動自在に垂架したものにおいて、前記飛散防止板の垂架位置よりやや後方の回転式草刈機には、刈幅と略同長の幅長さを有するローラ式定規車を上下調節自在に横架したことを特徴とする回転式草刈機における飛散防止装置」の開示がされている。
【先行技術文献】
【特許文献】
【０００４】
【特許文献１】実開平５−９５２４２号公報（従来技術１）
【発明の概要】
【発明が解決しようとする課題】
【０００５】
トラクタに装着されて使用される草刈り作業機の場合、刈取り作業部の刈取り高さを希望する高さに合わせて作業を行う。このため、従来技術１のように作業車であるトラクタの装着部の３点リンク機構に装着して草刈り作業機を上下に昇降させるとともに、装着部と反対側の接地部にローラ式定規車を上下調節自在に設けて高さを調節している。しかし、このようなローラ式の場合、地面に接地して回転しているためローラ外周に土等の異物が付着しやすく、ローラ径が大きくなって高さが安定しなくなることや回転不良による引きずり等の不具合が発生する。
【０００６】
従来技術１の場合、高さ調節用のローラ式定規車が進行方向前方に設けているが、このような場合にはローラで刈取り前の草を踏み潰した後で刈取るため、刈残しが発生しやすく、特に草が長いとローラで抑えた状態で草刈刃が通過することになるため刈残しが顕著に現れる。このようなことから、高さ調節用のローラは刈取部の進行方向後方に設けることが行われている。しかし、このような場合においてはローラ外周に前記と同様に接地面の土や異物とともに刈取り部で細断された草の湿った粉塵等がさらに付着しやすくなり、ローラ径が大きくなる等の前記と同様の不都合が発生する。
【０００７】
このため本発明の目的は、刈取り作業部の高さを安定させるゲージローラに土等の異物が付着せずに安定した作業ができる草刈作業機を提供することにある。
【課題を解決するための手段】
【０００８】
上記課題を解決するために、走行機体であるトラクタに装着するための前方部に設けた装着部と、トラクタからの動力により回転する水平方向の回転軸に複数の刈刃を有した刈取りロータと、該刈取りロータの上方を覆う刈取り部カバーと、前記刈取りロータの左右端部を支える側板と、前記刈取りロータ後方に設けられ、水平方向の回転軸を有して前記左右側板に保持され前記刈取りロータとほぼ同じ長さの幅で刈取り地表面に接地して刈取り作業部の高さを安定させる円筒状ローラ式ゲージローラとを有する草刈り作業機において、前記ゲージローラには、ゲージローラ外周に付着した異物を除去するスクレーパが設けられていて、該スクレーパはゲージローラ外周に端面を沿わせるとともにゲージローラの長さ方向に平行な板状で、ゲージローラ側の端面は凸凹状の切欠きが連続して設けられていて、凸凹状の頂部によりゲージローラ外周に付着した異物を掻き落し、凸凹状となったローラ外周の異物を地面との接触時の抵抗で剥して肥大させない構造であることを特徴とした草刈り作業機を提案する。
【発明の効果】
【０００９】
この発明によれば、スクレーパはローラ外周に端面を沿わせるとともにローラの長さ方向に平行な板状で、スクレーパのゲージローラ側の端面は、凸凹状の切欠きが連続して設けられていることにより、ゲージローラ外周に付着した異物が凸凹の頂部により掻き落されるため、付着した異物に頂部が食い込みやすいため抵抗が少なく、凸凹状となったローラ外周の異物は地面との接触時の抵抗で剥れやすく肥大することが少ない。また、凸凹の切欠き構造がシンプルでメンテナンスが容易であるとともに生産コストも低く抑えることができる。
【図面の簡単な説明】
【００１０】
【図１】本発明を実施した草刈り作業機の側面図。
【図２】本発明を実施した草刈り作業機をトラクタ後方に位置させた状態の平面図。
【図３】本発明を実施した草刈り作業機をトラクタ側方にオフセットさせた状態の平面図。
【図４】刈取り作業部の要部正面図。
【図５】刈取り作業部を断面した要部側面図。
【図６】ゲージローラの一部を断面した要部後面図。
【図７】スクレーパの端部形状の他の実施例。
【発明を実施するための形態】
【００１１】
以下、本発明の実施例を以下の図面に基づいて説明する。図１は本発明を実施した草刈り作業機の側面図、図２は同じく草刈り作業機をトラクタ後方に位置させた状態の平面図、図３は同じく草刈り作業機をトラクタ側方にオフセットさせた状態の平面図、図４は刈取り作業部の要部正面図、図５は刈取り作業部を断面した要部側面図、図６はゲージローラの一部を断面した要部後面図、図７はスクレーパの端部形状の他の実施例を示したものである。
【００１２】
本例に示す草刈り作業機は、トラクタ１の後方に設けた３点リンクヒッチ機構に装着され、トラクタ１からの動力により刈取り作業部５を駆動して使用されるものである。また、刈取り作業部５は、トラクタ１に対して左右に移動可能に設けられていて、トラクタ１の後方片側側方に位置させての作業も可能であり、トラクタ１のタイヤで刈取り前の草を踏まずに前進刈取り作業が可能である。
【００１３】
本例の草刈り作業機は、前方部にトラクタ１に装着するための装着部２を設け、その後方に刈取り作業部５が設けられていて、装着部２と刈取り作業部５はオフセット機構部６を介して連結されている。オフセット機構部６は平面視平行リンクで構成されていて、平行リンク前方端が装着部２側に、後方端側が刈取り作業部５側に回動自在にそれぞれ連結されていて、刈取り作業部５が左右に移動しても進行方向に対して直交姿勢が変化しないように構成されている。
【００１４】
トラクタ１の後方に設けた左右一対のロワーリンク１１とその中央上方に設けたトップリンク１０とからなる３点リンクヒッチ機構に、草刈り作業機の前方に設けた装着部２の下方左右に設けられたロワーリンクピン２０が前記ロワーリンク１１と、同じく左右のロワーリンクピン２０部分から門型に形成したマストフレーム２２の頂部に設けたトップリンクピン２１が、前記トップリンク１０とをそれぞれ連結させてトラクタ１に草刈り作業機を装着する。
【００１５】
刈取り作業部５は、刈取り作業部の片側側方上方部に設けた動力の入力部であるベベルギヤケース３が設けられていて、このベベルギヤケース３から前方に向け突設させた入力軸３０と図示していないトラクタＰＴＯ軸とをユニバーサルジョイント１２により連結させ、動力がトラクタ１から取出され駆動される。
【００１６】
ベベルギヤケース３は、入力軸３０に入力された動力を内部のベベルギヤにより進行方向左右方向に変換及び変速する。変換された動力はベベルギヤケース３の片側側方から水平方向の出力軸３２により刈取り作業部５の側方端側に伝達される。側方端部側の出力軸先端には出力プーリが固着されていて、さらに、その下方に前記刈取り作業部５の回転軸５０の端部に固着された入力プーリが設けられていて、これらのプーリに掛け渡された伝動ベルトにより入力軸３０に入力された動力は、刈取り作業部５の回転軸５０に伝達され回転駆動する。前記プーリ及び伝動ベルト部はベルトカバー４により覆われてガードされている。
【００１７】
刈取り作業部５は、トラクタ進行方向と直交する水平方向の回転軸５０に放射状に複数の刈取り刃５１を揺動自在に設けた刈取りロータ５６を有し、これを回転軸５０の上方を刈取りした草が通過するように前方から後方に掬い上げるように回転させ、雑草等を刈取りするとともに破砕する。刈取り刃５１回転軌跡外周上方部は、刈取り部カバー５２で覆われていて、切断された雑草等の飛散を防止するとともに刈取られた雑草等の一部を回転軸５０の周りに持ち回らせてさらに細かく破砕するように設けられている。
【００１８】
刈取り作業部５後方下部にはゲージローラ７が設けられていて、作業時には地表面に接地して刈取り作業部５の後方側の地上高さを保持する。ゲージローラ７は刈取りロータ５６の略幅の長さの円筒状に設けてあり、刈取り作業部５の左右の側板５５から後方に延設した取付け板７０に左右端部を軸受７２を介して回転自在に保持されている。側板５５への取付け板７０取付け孔が複数設けてあり、取り付け孔位置を選択して取り付けることで刈取り作業部５の高さを調整する。
【００１９】
ゲージローラ７の後方側には、外周面に端面を接近させて設けたスクレーパ７１が設けてあり、側面視逆Ｌ型状の板状部材で構成され、ゲージローラ７の長さ方向にほぼ同じ長さに平行に設けている。スクレーパ７１は、作業時に地表面にゲージローラ７が接地して自転する際に、土や異物又は刈取り作業部で破砕された草が外周面に付着するのを掻き落すためのものである。本例においては、スクレーパ７１の一端面をゲージローラ７外周の後方側接線方向に向かせて、左右を前記取付け板７０に取付けられ保持されている。取付け部は長孔になっていて、ボルトにより締め付けて取り付けられるが、長孔の位置を調節してスクレーパ７１端面とゲージローラ７外周面との隙間を調節する。
【００２０】
スクレーパ７１のゲージローラ７側の端面は、ゲージローラ７の幅方向に亘って凸凹状の切欠き部が連続して設けられている。本例においては凸凹状の切欠き部７１０は、図６に示すようにギザギザ状に設けてある。他の凸凹状の切欠きの例としては図７に示すような形状でも可能であり、（ａ）は凹部が円弧状となっていて、（ｂ）は凹部及び凸部が台形状となっている。端面が直線状となっている場合、平面である端部までゲージローラ７全幅に亘って肥大した異物がゲージローラ７と一体となって固着し、それ以上掻き落されることがなくローラ径が大きくなった状態を解除できなくなる。スクレーパ７１の端面を近づけすぎると回転方向に抵抗が大きくなり、引きずり現象が発生する場合がある。端面を凸凹状にすることでゲージローラ外周に付着した異物が凸凹の頂部により掻き落され、付着した異物に頂部が食い込みやすいため抵抗が少なく、掻き落されて凸凹状となったローラ外周の異物は地面との接触時の抵抗で剥れやすく肥大することが少ない。
【００２１】
刈取り作業部５を左右に移動させるオフセット機構部６は、前端側を装着部２に水平回動自在に連結されて後方側へ延びる回動アーム６０と、一端を装着部側に他端を回動アーム６０側にそれぞれ水平回動自在に連結してその伸縮動作により回動アーム６０を水平方向に回動させるオフセット用電動シリンダ６３と、回動アーム６０の回動端側で刈取り作業部５を保持する刈取り作業部保持ブラケット６４を有し、回動アーム６０は左右に一対平行に設けられ前方端が装着部２側に、後方端側が刈取り作業部５側の刈取り作業部保持ブラケット６４にそれぞれ垂直方向に設けた前方回動軸６１および後方回動軸６２により連結されて平行リンクを構成していて、刈取り作業部５が図２に示すトラクタ後方位置から図３に示すトラクタの側方側双方への左右移動が行われても進行方向に対して刈取り作業部の直交姿勢が変化しないように構成されている。平行リンクを使用したオフセット機構で構成されているため、構造がシンプルで製造コストを低減可能である。
【００２２】
刈取り作業部保持ブラケット６４は、回動アーム６０の回動端側に垂直方向の後方回動軸６２により平行リンク機構を成して水平回動自在に保持されていると共に、進行方向と平行に水平に設けた刈取り部回動軸５３により刈取り作業部５を進行方向と直行する面において上下方向回動自在に保持している。刈取り作業部５側と刈取り作業部保持ブラケット６４側にそれぞれ両端部を回動自在に刈取り部回動用電動シリンダ５４が連結されていて、刈取り部回動用電動シリンダ５４を伸縮動作させることにより、刈取り作業部５を刈取り部回動軸５３を中心に上下に回動させることができる。刈取り作業部５を上下に回動させることにより、トラクタ１の走行面に対し側方の上下に傾斜した傾斜面の雑草等を刈取ることが可能となる。
【００２３】
オフセット機構部６前端側の装着部２との連結は、装着部２の門型に形成したマストフレーム２２の左右一方側の下方部に連結ブラケット２３を介して連結されていて、連結ブラケット２３の後方側に前記回動アーム６０を垂直方向に設けた前方回動軸６１により保持するとともに、連結ブラケット２３の前方側一端を進行方向と直交する水平方向の上下回動軸２３０により装着部２のマストフレーム２２に前後回動自在に連結している。該前後回動角は一定範囲に規制されているが、これにより装着部２に対し刈取り作業部５が前後に一定範囲で揺動可能となり、作業圃場の凹凸に対し作業時追従できるように構成されている。
【００２４】
装着部２の門型に形成したマストフレーム２２の連結ブラケット２３取付け側と反対側である左右一方側の下方部には、装着部２の下方への下げすぎを防止するための下降規制手段８が設けられていて、ロワーリンクピン２０近傍のマストフレーム２２に固着して設けた垂直方向のパイプ状に形成したホルダー８１に側面視Ｌ形にパイプ材で形成したガイドシュー８０の上方一端側を挿入して固定ピンで保持させ、下方の他端側を圃場面に摺動させるように設けて下降規制手段８が構成されている。固定ピンの差込み位置を変更可能にガイドシュー８０に調整孔を設けることで上下調整が可能となる。尚、本例においてはガイドシュー８０を連結ブラケット２３側には設けていないが、マストフレーム２２の左右に設けてもよく、また、ガイドシュー８０の下方の摺動部をゲージ輪等の回転体で構成してもよい。
【００２５】
刈取り作業部５後方下部には前記の刈取り高さを安定させるゲージローラ７が設けられていて、装着部２には、装着部２の下降位置を規制する下降規制手段８が設けられていることにより、後方のゲージローラ７と前方の下降規制手段８の間に設けた刈取り作業部５の前後方向の姿勢が安定する。
【００２６】
トラクタ１の３点リンク機構により保持された装着部２を下げ過ぎると、刈取り作業部５の姿勢が前方に傾斜した状態となり、刈取り高さや刈取り性能に影響が出る不都合が生じる。作業途中においては方向転換等で頻繁に草刈り作業機を上げ下ろしする必要があり、その都度下降位置を調整する必要があると共に、トラクタに乗車した状態では上方から下降位置を見極めにくく調整が困難であり、下降規制手段８を設けることで容易に下降位置を調整することが可能となり、作業効率が向上するとともに草刈り作業機の性能を熟練を要さずに十分に発揮させることが可能となる。
【００２７】
次にこの発明の草刈り作業機の作動について説明する。草刈り作業機の前方部に設けた装着部２によりトラクタ１に装着し、刈り取り作業部５の側方上方部に設けたベベルギヤケース３の入力軸３０とトラクタＰＴＯ軸をユニバーサルジョイント１２で連結し、トラクタ１からの動力により回転駆動させる。ベベルギヤケース３の内部のベベルギヤにより入力軸３０の動力は進行方向左右方向に回転動力を変換及び変速して伝動され、出力軸３２により動力を側方端側に伝達する。ベベルギヤケース３と反対側の側方端部の出力軸３２先端には出力プーリが固着されていて、その下方に前記刈取り作業部５の回転軸５０の端部に固着された入力プーリが設けられていて、これらのプーリに掛け渡された伝動ベルトにより動力は刈取り作業部５の回転軸５０に伝達され回転駆動する。回転軸５０には放射状に複数の刈取り刃５１が揺動自在に設けられていて、これを切断された雑草等が回転軸５０の上方を通過して前方から後方に掬い上げるように回転させ、トラクタの進行により雑草等を刈取りするとともに破砕させる。刈取り刃５１回転軌跡外周上方部は、刈取り部カバー５２で覆われていて、切断された雑草等の飛散を防止するとともに刈取られた雑草等の一部を刈取り刃５１の掬い面の作用により回転軸５０周りに持ち回らせてさらに細かく破砕させる。
【００２８】
刈取り作業部５は、装着部２に対してオフセット機構部６のオフセット用電動シリンダ６３を伸縮させることにより左右に移動させてトラクタ１からのオフセット位置を調整して作業を行う。トラクタ１のタイヤ側方から刈取り作業部５を外側にオフセットさせ、トラクタ１を刈取り後の圃場部面を走行させるとともに、刈取り作業部５を未刈取り部に位置させて作業を行うことで、タイヤが未作業部の雑草等を踏み倒すことによる刈残し発生を防止できる。
【００２９】
トラクタ１のタイヤ側方から刈取り作業部５を外側にオフセットさせ、さらに、刈取り部回動用電動シリンダ５４を伸縮させて刈取り作業部５を進行方向と直交する方向の上下に回動させることにより、トラクタ１の走行面に対して上下に傾斜している側方部の法面の草刈り作業が可能となる。
【００３０】
刈取り作業部５をトラクタ１の３点リンクにより下降させ作業状態とする場合は、下降規制手段８のガイドシュー８０の下方端が圃場面に接する位置に３点リンクを下降させることで刈取り作業部５の作業姿勢が決定される。刈取り作業部５の後方に設けたゲージローラ７は、スクレーパ７１によりローラ外周に異物等が付着しないで刈取り作業部５を安定した高さで維持する。
【産業上の利用可能性】
【００３１】
この発明は、走行機であるトラクタの後方に装着されて使用される草刈り作業をするための農業用機械に利用される。
【符号の説明】
【００３２】
１    トラクタ
１０  トップリンク
１１  ロワーリンク
１２  ユニバーサルジョイント
２    装着部
２０  ロワーリンクピン
２１  トップリンクピン
２２  マストフレーム
２３  連結ブラケット
２３０  上下回動軸
３    ベベルギヤケース
３０  入力軸
３２  出力軸
４    ベルトカバー
５    刈取り作業部
５０  回転軸
５１  刈取り刃
５２  刈取り部カバー
５３  刈取り作業部回動軸
５４  刈取り作業部回動用電動シリンダ
５５  側板
５６  刈取りロータ
６    オフセット機構部
６０  回動アーム
６１  前方回動軸
６２  後方回動軸
６３  オフセット用電動シリンダ
６４  刈取り作業部保持ブラケット
７    ゲージローラ
７０  取付け板
７１  スクレーパ
７１０  凸凹状切欠き部
７２  軸受
８    下降規制手段
８０  ガイドシュー
８１  ホルダー
【図１】
0005812315.tif 000002
【図２】
0005812315.tif 000003
【図３】
0005812315.tif 000004
【図４】
0005812315.tif 000005
【図６】
0005812315.tif 000006
【図７】
0005812315.tif 000007
【図５】
0005812315.tif 000008